(57)【要約】【課題】保存指示が行われる前に受信していた情報を確実に保存することができ、聴取者が知りたかった情報を後から確認することができ、受信した情報を有効に活用することのできる放送受信機を提供すること。【解決手段】文字情報を含む音声放送波を受信する受信手段１２を備えた放送受信機において、受信した音声情報と文字情報とを含む放送デ−タを第１の記憶手段２１に順次更新しながら記憶させていく更新記憶手段と、使用者からの保存操作がある時に、第１の記憶手段２１に記憶されている放送デ−タを第２の記憶手段２２に保存させる放送デ−タ保存手段とを装備する。【選択図】  図１
2004193726.tif 000002
【特許請求の範囲】
【請求項１】
文字情報を含む音声放送波を受信する受信手段を備えた放送受信機において、
受信した音声情報と文字情報とを含む放送デ−タを第１の記憶手段に順次更新しながら記憶させていく更新記憶手段と、
使用者からの保存操作がある時に、前記第１の記憶手段に記憶されている前記放送デ−タを第２の記憶手段に保存させる放送デ−タ保存手段とを備えていることを特徴とする放送受信機。
【請求項２】
前記放送デ−タ保存手段が、所定の保存条件に基づいて、前記第１の記憶手段に記憶されている前記放送デ−タを前記第２の記憶手段に保存させることを特徴とする請求項１記載の放送受信機。
【請求項３】
前記放送デ−タが前記第２の記憶手段に保存されると、前記放送デ−タを通信手段を介して外部へ送信する第１の送信手段を備えていることを特徴とする請求項１又は請求項２記載の放送受信機。
【請求項４】
前記第１の送信手段が、指定されたメ−ルアドレスに前記放送デ−タを送信するものであることを特徴とする請求項３記載の放送受信機。
【請求項５】
前記第１の送信手段が、前記放送デ−タを指定されたインタ−ネット上のサ−バへ送信するものであることを特徴とする請求項３記載の放送受信機。
【請求項６】
前記放送デ−タ保存手段が、前記第１の送信手段により送信される放送デ−タとして、さらに日時情報及び／又は受信放送局情報を保存するものであることを特徴とする請求項１〜５のいずれかの項に記載の放送受信機。
【請求項７】
前記第１の記憶手段に記憶、又は前記第２の記憶手段に保存される前記放送デ−タの中から特定情報を抽出する特定情報抽出手段と、
前記特定情報を前記通信手段を介して外部へ送信する第２の送信手段とを備えていることを特徴とする請求項１記載の放送受信機。
【請求項８】
前記第２の記憶手段に保存された前記放送デ−タを表示手段に表示させる保存デ−タ表示手段と、
前記表示手段に表示された前記放送デ−タに対する指示操作を行う指示操作手段とを備えていることを特徴とする請求項１記載の放送受信機。
【請求項９】
前記指示操作手段による指示操作が送信である場合に、前記放送デ−タを通信手段を介して外部へ送信する第３の送信手段を備えていることを特徴とする請求項８記載の放送受信機。
【発明の詳細な説明】
【０００１】
【発明の属する技術分野】
本発明は放送受信機に関し、より詳細には文字情報を含む音声放送波を受信する受信手段を備えた放送受信機に関する。
【０００２】
【従来の技術】
ＦＭ放送局では、天気予報、ニュ−ス、交通情報、及び放送中の番組に連動した情報（例えば、放送中の音楽の曲名等の番組情報）などをディジタルデ−タの文字情報として音声放送波に多重して送信しており、これらの文字情報を受信して表示部に表示させる機能を備えた放送受信機が知られている。
【０００３】
前記文字情報を含む音声放送波を受信する受信手段を備えた放送受信機では、文字情報の表示モ−ドに設定されると、送信されてくる文字情報を一旦メモリに記憶し、該メモリから必要なデ−タを読み出して前記表示部に文字情報をリアルタイムに表示させることができるようになっている。
【０００４】
また、表示部に表示された文字情報を活用する事例として、下記の特許文献１には、表示部に表示された文字情報をユ−ザの要求に合わせて記憶する表示情報記憶手段と、該表示情報記憶手段に記憶された文字情報をユ−ザの要求により表示させる再表示手段とを備えている放送受信機が開示されている。
【０００５】
特許文献１記載の放送受信機によれば、前記表示部に文字情報（ダイナミックラベル）が表示されているときに、表示文字情報を記憶するためのキ−操作が検出されると、前記表示部に表示されている文字情報と該文字情報に対応するオ−ディオデ−タとがメモリに記憶されるようになっている。
また、前記メモリに記憶された文字情報を再表示させるためのキ−操作が検出されると、前記メモリから前記文字情報を読み出して前記表示部に表示し、さらに前記文字情報に対応するオ−ディオデ−タの再生が行えるとしている。
【０００６】
【特許文献１】
特開平１０−１５０３７７号公報  （第２頁、図１、２）
【０００７】
【発明が解決しようとする課題】
音声放送の音楽番組では、通常ＤＪによりア−ティスト名と曲名とが説明された後に曲が放送されることが多いが、ＢＧＭとして音声放送を聞いている時に、曲が始まる前のア−ティスト名と曲名とを注意して聴いている聴取者は少なく、文字情報を含む音声放送の番組情報として前記表示部に表示されるア−ティスト名や曲名などの文字情報は、曲の途中で他の情報に切り替わってしまうことも多い。
【０００８】
したがって、前記表示部に表示されている文字情報だけしか記憶させることのできない上記特許文献１記載の放送受信機では、曲を聴いている途中に、ア−ティスト名や曲名を知りたいと思ったときに、ア−ティスト名や曲名が表示部に表示されていなければ、これらを記憶させることができず、前記表示部に表示されているタイミングを逃した情報は、たとえ表示されていた情報であったとしても記憶させることができず、聴取者が知りたいと思った情報を確実に記憶させることができないという課題があった。
【０００９】
また、上記特許文献１記載の放送受信機では、記憶したオ−ディオデ−タを再生しつつ文字情報を表示させるデ−タ再現手段を備えているが、前記オ−ディオデ−タや前記文字情報を通信手段を介して外部へ送信して後から利用するというものではなかった。
【００１０】
本発明は上記課題に鑑みなされたものであって、保存指示が行われる前に受信していた情報、例えば、保存指示が行われる前に受信していた音声情報と、該音声情報に関連した文字情報とを確実に保存することができ、保存されたこれらの情報を通信手段を介して外部に送信して、聴取者が知りたかった情報を後から確認することができ、受信した情報を有効に活用することのできる放送受信機を提供することを目的としている。
【００１１】
【課題を解決するための手段及びその効果】
上記目的を達成するために本発明に係る放送受信機（１）は、文字情報を含む音声放送波を受信する受信手段を備えた放送受信機において、受信した音声情報と文字情報とを含む放送デ−タを第１の記憶手段に順次更新しながら記憶させていく更新記憶手段と、使用者からの保存操作がある時に、前記第１の記憶手段に記憶されている前記放送デ−タを第２の記憶手段に保存させる放送デ−タ保存手段とを備えていることを特徴としている。
【００１２】
上記放送受信機（１）によれば、前記音声情報と前記文字情報とを含む放送デ−タが前記第１の記憶手段に順次更新されながら記憶され、使用者からの保存操作が検出されると、前記第１の記憶手段に記憶されている前記放送デ−タが前記第２の記憶手段に保存されるので、前記保存操作が行われる前に受信していた前記音声情報と前記文字情報とを確実に保存することができ、使用者が見逃した情報など知りたかった情報を確実に保存することができる。
また、前記放送デ−タには、前記音声情報と、該音声情報に関連する文字情報とが含まれているので、例えば、前記音声情報が音楽である場合、前記文字情報として、曲名やア−ティスト名を保存することができ、関連性のあるデ−タを合わせて保存することができる。
【００１３】
また本発明に係る放送受信機（２）は、上記放送受信機（１）において、前記放送デ−タ保存手段が、所定の保存条件に基づいて、前記第１の記憶手段に記憶されている前記放送デ−タを前記第２の記憶手段に保存させることを特徴としている。
【００１４】
上記放送受信機（２）によれば、前記所定の保存条件に基づいて前記第１の記憶手段に記憶された放送デ−タが前記第２の記憶手段に保存されるので、前記保存条件に当てはまる放送デ−タのみを前記第２の記憶手段に保存することができ、使用者が必要とする情報のみを保存することができる。
【００１５】
また本発明に係る放送受信機（３）は、上記放送受信機（１）又は（２）において、前記放送デ−タが前記第２の記憶手段に保存されると、前記放送デ−タを通信手段を介して外部へ送信する第１の送信手段を備えていることを特徴としている。
【００１６】
上記放送受信機（３）によれば、前記放送デ−タが前記第２の記憶手段に保存されると、前記第１の送信手段により前記放送デ−タが前記通信手段を介して外部へ送信されるので、前記放送デ−タを外部へ送信するための煩わしい送信設定操作等を使用者に行わせることなく、自動的に前記放送デ−タを外部へ送信することができる。
【００１７】
また本発明に係る放送受信機（４）は、上記放送受信機（３）において、前記第１の送信手段が、指定されたメ−ルアドレスに前記放送デ−タを送信するものであることを特徴としている。
【００１８】
上記放送受信機（４）によれば、前記第１の送信手段が、指定されたメ−ルアドレスに前記放送デ−タを送信するものであるので、前記メ−ルアドレスの所有者（通常使用者）は、通信機能を備えた携帯電話やパソコンを使用して、前記指定メ−ルアドレス宛に送られた前記放送デ−タを確認することが可能になり、前記使用者は、知りたかった情報を後から確認することができるようになる。
【００１９】
また本発明に係る放送受信機（５）は、上記放送受信機（３）において、前記第１の送信手段が、前記放送デ−タを指定されたインタ−ネット上のサ−バへ送信するものであることを特徴としている。
【００２０】
上記放送受信機（５）によれば、前記第１の送信手段が、前記放送デ−タを指定されたインタ−ネット上のサ−バへ送信するものであるので、例えば、通信機能を備えたパソコンからインタ−ネットに接続してポ−タルサイトにログインすることにより、前記放送デ−タを確認することが可能になり、前記使用者は、知りたかった情報を後から確認することができるようになる。
【００２１】
また本発明に係る放送受信機（６）は、上記放送受信機（１）〜（５）のいずれかにおいて、前記放送デ−タ保存手段が、前記第１の送信手段により送信される放送デ−タとして、さらに日時情報及び／又は受信放送局情報を保存するものであることを特徴としている。
【００２２】
上記放送受信機（６）によれば、前記日時情報及び／又は前記受信放送局情報をさらに保存することができ、前記日時情報及び／又は前記受信放送局情報を確認することが可能になる。
【００２３】
また本発明に係る放送受信機（７）は、上記放送受信機（１）において、前記第１の記憶手段に記憶、又は前記第２の記憶手段に保存される前記放送デ−タの中から特定情報を抽出する特定情報抽出手段と、前記特定情報を前記通信手段を介して外部へ送信する第２の送信手段とを備えていることを特徴としている。
【００２４】
上記放送受信機（７）によれば、前記特定情報抽出手段により前記放送デ−タの中から特定情報が抽出され、前記第２の送信手段により前記特定情報が前記通信手段を介して外部へ送信されるので、前記特定情報のみを送信することにより、送信デ−タ量を少なくすることができ、通信コストを安く抑えることができる。
【００２５】
また本発明に係る放送受信機（８）は、上記放送受信機（１）において、前記第２の記憶手段に保存された前記放送デ−タを表示手段に表示させる保存デ−タ表示手段と、前記表示手段に表示された前記放送デ−タに対する指示操作を行う指示操作手段とを備えていることを特徴としている。
【００２６】
上記放送受信機（８）によれば、保存された前記放送デ−タを前記表示手段に表示させることができ、表示された前記放送デ−タを確認しながら該放送デ−タに対して指示操作することができ、所定の放送デ−タに任意の指示を行うことが可能になる。
【００２７】
また本発明に係る放送受信機（９）は、上記放送受信機（８）において、前記指示操作手段による指示操作が送信である場合に、前記放送デ−タを通信手段を介して外部へ送信する第３の送信手段を備えていることを特徴としている。
【００２８】
上記放送受信機（９）によれば、前記指示操作手段を介して送信が指示された放送デ−タを前記通信手段を介して外部へ送信するので、使用者が必要とする放送デ−タのみを送信することができ、無駄のない送信を行うことにより、通信コストを安く抑えることができる。
【００２９】
【発明の実施の形態】
以下、本発明に係る放送受信機の実施の形態を図面に基づいて説明する。図１は、実施の形態（１）に係るＦＭ多重放送受信機の要部を概略的に示したブロック図である。
【００３０】
図中１０は、車載用のＦＭ多重放送受信機１０を示しており、ＦＭ多重放送受信機１０は、文字情報を含むＦＭ多重放送波を受信するアンテナ１１と、アンテナ１１で受信したＦＭ多重放送波の中から所望の周波数を選択して中間周波信号に変換するＦＭチュ−ナ部１２と、ＦＭチュ−ナ部１２から出力された中間周波信号を増幅、検波してＦＭ検波信号を出力する中間周波増幅・検波回路１３と、中間周波増幅・検波回路１３から出力されたＦＭ検波信号をステレオ復調して、ステレオ音声信号を出力するステレオ復調回路１４と、ステレオ復調回路１４から出力されたステレオ音声信号を増幅する増幅回路１５と、増幅回路１５で増幅されたステレオ音声信号を音声に変換して出力するスピ−カ１６とを備えている。
【００３１】
さらに中間周波増幅・検波回路１３から出力されたＦＭ検波信号から多重化されたディジタル信号を抽出して復号化するＦＭ多重デコ−ド部１７と、中間周波増幅・検波回路１３から出力されたＦＭ検波信号から音声信号をサンプリングしてディジタルデ−タの音声ファイル、例えば、ＷＡＶ形式、又はＭＰ３形式等の音声ファイルに変換する音声デ−タ変換手段１８とを備えている。
【００３２】
さらにＬＣＤ等から構成される表示部２０と、受信機の前面パネルに設けられた各種操作ボタン（図示せず）、リモコン（図示せず）、又は表示部２０上に設けられたタッチパネル（図示せず）等から構成される操作部１９と、ＦＭ放送受信時にＦＭ多重デコ−ド部１７で復号化された文字情報と音声デ−タ変換手段１８で所定時間サンプリングされた音声情報とが順次更新記憶（バッファリング）される第１のメモリ２１と、第１のメモリ２１に記憶されている文字情報と音声情報とを含む放送デ−タが記憶される第２のメモリ２２と、これら各部を制御するマイコン２４とを備えている。
【００３３】
第１のメモリ２１は、バッファメモリであり、マイコン２４は、ＦＭ放送受信時にＦＭ多重デコ−ド部１７で復号化された文字情報と音声デ−タ変換手段１８で所定時間サンプリングされた音声情報とを第１のメモリ２１へ順次更新記憶（バッファリング）させる処理を行うようになっている。なお、本更新記憶処理は、文字情報を表示部２０へ表示する設定になっているか否かに関わらず実行される。
【００３４】
操作部１９には、第１のメモリ２１に記憶されている音声情報と文字情報とを第２のメモリ２２に保存させる指示を行うための保存指示ボタン（図示せず）が設けられている。なお、この保存指示ボタンは、他の操作指示ボタンと兼用されていてもよく、例えば、ある操作指示ボタンを長押しすると保存指示が行えるように設定されていてもよい。
【００３５】
また、マイコン２４は、通信手段２３と接続され、通信手段２３を介して外部と通信する制御も行うようになっており、マイコン２４内のメモリ（図示せず）には、表示部２０に表示される送信先アドレス設定画面（図示せず）において設定された特定の送信先アドレスが記憶されるようになっている。該送信先アドレスには、例えば、使用者の携帯電話４０のメ−ルアドレス、使用者が契約しているプロバイダのメ−ルアドレス、あるいは使用者がメ−ル会員となっているポ−タルサイトのＵＲＬ等を使用することができる。
【００３６】
マイコン２４は、前記保存指示ボタンを介した保存指示操作を検出すると、第１のメモリ２１に記憶されている音声情報（例えば、音楽デ−タ）と、該音声情報に関連する文字情報（例えば、曲名やア−ティスト名を含む番組情報）とを含む放送デ−タを第２のメモリ２２に保存する処理を行う。そして前記放送デ−タを設定された送信先アドレスに通信手段２３を介してネットワ−ク３０上の所定のサ−バ（携帯電話会社のメ−ルサ−バ３１、契約プロバイダのメ−ルサ−バ３２、又は契約している情報提供サ−ビス会社のセンタ−サ−バ３３等）へ送信する処理を行うようになっている。なお、前記送信先アドレスは、予め設定されたものでも、送信の際に指定されたものでもよい。
【００３７】
通信手段２３には、例えば、ディジタルデ−タ通信が行える携帯電話を採用することができ、その他にもディジタルデ−タをネットワ−ク３０を介して所定のサ−バへ送信することのできる通信モジュ−ルを採用してもよい。
【００３８】
前記送信先アドレスとして携帯電話４０のメ−ルアドレスが設定されている場合、放送デ−タは、ネットワ−ク３０を介して携帯電話会社のメ−ルサ−バ３１へ送信され、メ−ルサ−バ３１からネットワ−ク３０を介して携帯電話４０へメ−ル着信情報が送信され、携帯電話４０の画面に文字情報を表示させたり、音声情報が格納された音声ファイルを開いて音声を再生させることにより、使用者は、放送デ−タを確認することができるようになっている。
【００３９】
また、送信先アドレスとして契約プロバイダのメ−ルアドレスが設定されている場合、放送デ−タは、ネットワ−ク３０を介して契約プロバイダのメ−ルサ−バ３２へ送信され、例えば、自宅のパソコン４１がインタ−ネットに常時接続されているものであればメ−ルサ−バ３２からネットワ−ク３０を介してパソコン４１ヘメ−ル着信情報が送信され、自宅のパソコン４１がインタ−ネットにダイアルアップ接続するものであれば、ダイアルアップ後にメ−ルサ−バ３２からメ−ル着信情報が送信され、パソコン４１の画面に文字情報を表示させたり、音声情報が格納された音声ファイルを開いて音声を再生させることにより、使用者は、放送デ−タを確認することができるようになっている。
【００４０】
また、送信先アドレスとして、契約している情報提供サ−ビス会社のポ−タルサイトのＵＲＬが設定されている場合、放送デ−タは、ネットワ−ク３０を介して情報提供サ−ビス会社のセンタ−サ−バ３３に送信され、使用者は、例えば、自宅のパソコン４１からインタ−ネットに接続して、情報提供サ−ビス会社のポ−タルサイトにログインして閲覧することにより、センタ−サ−バ３３に送信された放送デ−タを上記と同様に確認することができるようになっている。
【００４１】
このように通信手段２３を介して送信された放送デ−タを使用者は後で携帯電話４０などの情報端末機器や、自宅のパソコン４１などの電子メ−ル閲覧機能やブラウザを通じて確認することができるようになっている。
【００４２】
次に実施の形態（１）に係るＦＭ多重放送受信機１０におけるマイコン２４の行う処理動作を図２に示したフロ−チャ−トに基づいて説明する。
まず、ステップＳ１では、ＦＭ放送受信中であるか否かを判断し、ＦＭ放送受信中ではないと判断すれば処理を終了し、一方、ＦＭ放送受信中であると判断すればステップＳ２に進む。
【００４３】
ステップＳ２では、受信した音声情報と文字情報とを含む放送デ−タを第１のメモリ２１へバッファリングする処理を行い、その後ステップＳ３に進む。ステップＳ３では、保存指示ボタンが操作されたか否かを判断し、保存指示ボタンが操作されていないと判断すればステップＳ１に戻り、一方、保存指示ボタンが操作されたと判断すればステップＳ４に進む。
【００４４】
ステップＳ４では、第２のメモリ２２への放送デ−タの保存処理、すなわち、保存指示ボタンの操作に基づき、第１のメモリ２１に記憶された音声情報と、該音声情報に関連する文字情報とを含む放送デ−タを所定の条件（例えば、保存指示ボタンの操作前後の一定時間に第１のメモリ２１に記憶されたデ−タや、保存指示ボタンの操作時に放送されているのが音楽であれば、１曲分又は１フレ−ズ分等）に従って読み出して第２のメモリ２２へ保存させる処理を行い、その後ステップＳ５に進む。
【００４５】
ステップＳ５では、放送デ−タの送信処理、すなわち、指定されたメ−ルアドレスに放送デ−タを通信手段２３を介して送信する処理を行い、その後ステップＳ６に進む。ステップＳ６では、放送デ−タの送信処理が完了したか否かを判断し、送信処理が完了していないと判断すればステップＳ５に戻り、送信処理を繰り返し、一方、送信処理が完了したと判断すればステップＳ７に進む。ステップＳ７では、第２のメモリ２２に保存された放送デ−タを削除する処理を行い、その後処理を終了する。
【００４６】
上記実施の形態（１）に係るＦＭ多重放送受信機１０によれば、受信した音声情報と文字情報とを含む放送デ−タが第１のメモリ２１に順次更新されながら記憶され、保存指示ボタンを介した保存指示操作が検出されると、保存指示操作に基づき、第１のメモリ２１に記憶されていた放送デ−タが第２のメモリ２２に保存されるので、保存指示操作が行われる前に受信していた音声情報と文字情報とを確実に保存することができ、聴取者が見逃した情報など知りたかった情報を確実に保存することができる。
また、放送デ−タには、音声情報と、該音声情報に関連する文字情報とが含まれているので、例えば、音声情報が音楽である場合、文字情報として、曲名やア−ティスト名を保存することができ、関連性のあるデ−タを合わせて保存することができる。
【００４７】
また、放送デ−タの第２のメモリ２２への保存が完了すると、放送デ−タが通信手段２３を介して外部へ送信されるので、放送デ−タを外部へ送信するための煩わしい送信設定操作等を聴取者に行わせることなく、自動的に放送デ−タを外部に送信することができる。
【００４８】
また、送信先アドレスとして、携帯電話会社又は契約プロバイダのメ−ルアドレスが設定されている場合、該メ−ルアドレス宛に前記放送デ−タがメ−ルサ−バ３１又は３２へ送信されるので、前記メ−ルアドレスの所有者（通常使用者）は、通信機能を備えた携帯電話４０やパソコン４１を使用して、メ−ルサ−バ３１又は３２に保管された放送デ−タを確認することが可能になり、使用者は知りたかった情報を後から確認することができる。
【００４９】
また、送信先アドレスとして、契約している情報提供サ−ビス会社のポ−タルサイトのＵＲＬが設定されている場合、放送デ−タが指定されたセンタ−サ−バ３３へ送信されるので、前記ポ−タルサイトのＩＤを所有している使用者は、例えば、通信機能を備えたパソコン４１からインタ−ネットに接続して前記ポ−タルサイトにログインすることにより、前記放送デ−タを確認することが可能になり、使用者は知りたかった情報を後から確認することができる。
【００５０】
なお上記実施の形態（１）に係るＦＭ多重放送受信機１０では、ステップＳ４における第２のメモリ２２への放送デ−タの保存処理において、放送デ−タとして、音声情報と文字情報とが含まれているが、別の実施の形態では、さらに放送デ−タの受信日時情報、保存指示ボタンが操作されたときの日時情報、及び／又は受信放送局情報を合わせて保存するようにしてもよい。なお受信日時情報と受信放送局情報とは、ＦＭ多重デ−タに含まれており、これらのデ−タを抽出すればよい。
【００５１】
次に実施の形態（２）に係るＦＭ多重放送受信機について説明する。但し実施の形態（２）に係るＦＭ多重放送受信機１０Ａの構成については、マイコン２４Ａを除いて図１に示したＦＭ多重放送受信機１０と同様であるため、異なる機能を有するマイコン２４Ａには異なる符号を付し、その他の構成部品の説明をここでは省略する。
【００５２】
実施の形態（１）に係るＦＭ多重放送受信機１０では、第２のメモリ２２に保存された放送デ−タのすべてを予め指定されたメ−ルアドレスに送信するようになっているが、実施の形態（２）に係るＦＭ多重放送受信機１０Ａでは、第２のメモリ２２に保存された放送デ−タの外部への送信前に、前記放送デ−タの文字情報の中から特定情報（特定の文字情報）を抽出して、抽出された特定情報を送信するようになっている。
【００５３】
ＦＭ放送局では、放送中のラジオ番組に連動した情報（番組情報）を文字情報として放送しており、例えば、音楽番組放送時には、ＦＭ多重放送受信機１０Ａでは、放送中の曲名やア−ティスト名を表示部２０に表示させることができるようになっている。
【００５４】
図３は、あるＦＭ放送局から受信した文字情報を表示部２０へ表示させたときの表示例を示しており、鍵括弧で囲まれた曲名の後にア−ティスト名が続いて表示されるようになっている。これら曲名やア−ティスト名の表示のさせ方は、各ＦＭ放送局毎にその仕様が決められており、別の放送局では、コロン（：）やセミコロン（；）等で曲名とア−ティスト名とが区切って表示されるようになっている。
【００５５】
したがって、各ＦＭ放送局毎の文字情報の表示パタ−ンをマイコン２４内のメモリ（図示せず）に予め記憶させておくことにより、マイコン２４では、受信放送局の文字情報の中から鍵括弧やコロン等の表示記号を目印にして、例えば、曲名やア−ティスト名などの特定情報を抽出する処理が行えるようになっている。例えば、Ａ放送局から送信されてくる文字情報は、鍵括弧内は曲名、鍵括弧後のＸ文字（Ｘは所定文字数）はア−ティスト名であるという表示パタ−ン情報に基づいて、前記文字情報の中から特定情報を判別して、抽出することが可能になる。
【００５６】
次に実施の形態（２）に係るＦＭ多重放送受信機１０Ａにおけるマイコン２４Ａの行う処理動作を図４に示したフロ−チャ−トに基づいて説明する。但し、マイコン２４Ａの行う処理動作は、図２に示したステップＳ５の代わりにステップＳ１１〜Ｓ１３を挿入した構成となっており、以下相違点のみ説明することとする。
【００５７】
ステップＳ４において、第２のメモリ２２への放送デ−タの保存処理を行った後、ステップＳ１１に進む。ステップＳ１１では、マイコン２４Ａ内のメモリから特定情報を抽出するための受信放送局の表示パタ−ン情報を読み出し、その後ステップＳ１２に進む。
【００５８】
ステップＳ１２では、特定情報の抽出処理、すなわち、保存された放送デ−タの文字情報の中から表示パタ−ン情報に該当する文字列デ−タを抽出する処理を行い、その後ステップＳ１３に進む。
【００５９】
ステップＳ１３では、抽出された特定情報を文字メッセ−ジサ−ビス等の少量の文字列デ−タ、例えば、６０文字以内の文字デ−タのみを低料金で送信可能なサ−ビスを利用して携帯電話のメ−ルサ−バ３１やポ−タルサイトのセンタ−サ−バ３３に送信する処理を行い、その後ステップＳ６に進む。
【００６０】
上記実施の形態（２）に係るＦＭ多重放送受信機１０Ａによれば、第２のメモリ２２に保存されている放送デ−タの文字情報の中から特定情報が抽出され、抽出された特定情報を通信手段２３を介して文字メッセ−ジサ−ビス等を利用して所定のサ−バへ送信するので、前記特定情報のみを送信することにより、送信デ−タ量を少なくすることができ、通信コストを安く抑えることができる。
また、マイコン２４Ａ内のメモリに各放送局毎の曲名やア−ティスト名の表示パタ−ン情報が予め記憶されているので、曲名及び／又はア−ティスト名を漏れなく抽出して、送信することができ、前記曲名及び／又は前記ア−ティスト名を後から確実に確認することができる。
【００６１】
なお、上記実施の形態（２）においては、第２のメモリ２２に保存されている放送デ−タから前記特定情報を抽出して送信するようになっているが、前記特定情報の抽出方法は、これに限られるものではなく、第１のメモリ２１から前記放送デ−タを読み出す際に前記特定情報を抽出したり、又はＦＭ放送受信時に前記特定情報を抽出するようにしても良い。
【００６２】
次に実施の形態（３）に係るＦＭ多重放送受信機について説明する。但し実施の形態（３）に係るＦＭ多重放送受信機１０Ｂの構成については、第２のメモリ２２Ａとマイコン２４Ｂとを除いて図１に示したＦＭ多重放送受信機１０と同様であるため、異なる機能を有する第２のメモリ２２Ａとマイコン２４Ｂとには異なる符号を付し、その他の構成部品の説明をここでは省略する。
【００６３】
実施の形態（１）に係るＦＭ多重放送受信機１０では、保存指示操作が検出されると、第１のメモリ２１から放送デ−タを読み出し、第２のメモリ２２に保存した後、すぐに通信手段２３を介して外部に送信する処理を行う、すなわち、保存指示操作のみで送信処理まで自動的に行うようになっている。
【００６４】
これに対し、実施の形態（３）に係るＦＭ多重放送受信機１０Ｂでは、保存指示操作のみで送信処理まで行わずに、保存指示操作が検出されたときの放送デ−タを第２のメモリ２２Ａに蓄積していく、すなわち複数の放送デ−タを保存するようにして、操作部１９に第２のメモリ２２Ａに保存された複数の放送デ−タを表示させるための表示指示ボタン（図示せず）を設け、該表示指示ボタンを介した表示指示操作が検出されると、表示部２０に複数の放送デ−タを表示させて、表示された複数の放送デ−タを見ながら、使用者が送信するか削除するのか等の指示操作を選択設定することができるようになっている。そして、指示操作の選択設定が完了すると、送信設定された放送デ−タのみが通信手段２３を介して外部に送信されるようになっている。
【００６５】
図５は、表示指示ボタンを介した表示指示操作が検出されたときに表示部２０に表示される保存デ−タ表示画面の表示例を示している。
第２のメモリ２２Ａに保存されている放送デ−タ毎に保存日と受信放送局と文字情報とが表示されるようになっており、各文字情報の右側には、送信又は削除の選択設定を行うための送信・削除選択設定ボタン２０ａが設けられており、送信・削除選択設定ボタン２０ａは、表示部２０上に設けられたタッチパネル（図示せず）を介して入力操作が行えるようになっている。
【００６６】
そして表示部２０に表示されるすべての放送デ−タの指示操作の選択設定が完了した場合、あるいは、操作部１９に設けられた確定ボタンが入力された場合に、送信設定された放送デ−タの送信処理に進むようになっている。
【００６７】
次に実施の形態（３）に係るＦＭ多重放送受信機１０Ｂにおけるマイコン２４Ｂの行う処理動作を図６に示したフロ−チャ−トに基づいて説明する。但し、マイコン２４Ｂの行う処理動作は、図２に示したステップＳ５の代わりにステップＳ２１〜Ｓ２６を挿入した構成となっており、以下相違点のみ説明することとする。
【００６８】
ステップＳ４において、第２のメモリ２２Ａへの放送デ−タの保存処理を行った後、ステップＳ２１に進む。ステップ２１では、表示指示ボタンを介した保存された放送デ−タの表示指示操作が検出されたか否かを判断し、表示指示ボタンの操作が検出されていないと判断すれば、ステップＳ１に戻り、第１のメモリ２１への文字情報と音声情報とのバッファリング処理と、第２のメモリ２２Ａへの保存処理とを繰り返す。一方ステップＳ２１において、表示指示ボタンの操作が検出されたと判断すればステップＳ２２に進む。
【００６９】
ステップＳ２２では、第２のメモリ２２Ａに保存されている複数の放送デ−タの表示部２０への表示処理を行い、その後ステップＳ２３に進む。ステップＳ２３では、送信・削除選択設定ボタン２０ａの入力に基づいて、表示された各放送デ−タの送信又は削除の選択設定処理を行い、その後ステップＳ２４に進む。ステップＳ２４では、送信・削除の選択設定が完了したか否かを判断し、選択設定が完了していないと判断すればステップＳ２３に戻り、一方、選択設定が完了したと判断すればステップＳ２５に進む。
【００７０】
ステップＳ２５では、削除設定された放送デ−タを第２のメモリ２２Ａから削除する処理を行い、その後ステップＳ２６に進む。ステップＳ２６では、送信設定された放送デ−タの送信処理、すなわち、指定されたメ−ルアドレスに送信設定された放送デ−タを通信手段２３を介して所定のメ−ルサ−バへ送信する処理を行い、その後ステップＳ６に進む。
【００７１】
上記実施の形態（３）に係るＦＭ多重放送受信機１０Ｂによれば、第２のメモリ２２Ａに複数の放送デ−タを保存し、保存された複数の放送デ−タを表示部２０に表示させることができ、表示部２０に表示された複数の放送デ−タを確認しながら各放送デ−タを外部へ送信するか、それとも削除するか等の指示操作を選択設定することができ、使用者にとって必要性の高い放送デ−タのみを通信手段２３を介して外部へ送信することが可能になる。
また、送信・削除選択ボタン２０ａにより送信が選択設定された放送デ−タを通信手段２３を介して外部へ送信するので、必要性の高い放送デ−タのみを選択して送信することができ、無駄のない送信を行うことにより、通信コストを安く抑えることができる。
【００７２】
なお、上記実施の形態（１）〜（３）においては、本発明をＦＭ多重放送受信機に適用した場合について説明したが、これに限られるものではなく、ＲＤＳ受信機等の文字情報を含む音声放送波を受信することのできる他の放送受信機にも適用することができる。
【図面の簡単な説明】
【図１】本発明の実施の形態（１）に係るＦＭ多重放送受信機の要部を概略的に示したブロック図である。
【図２】実施の形態（１）に係るＦＭ多重放送受信機におけるマイコンの行う処理動作を示したフロ−チャ−トである。
【図３】あるＦＭ放送局から受信した文字情報を表示部へ表示させたときの表示例を示した図である。
【図４】実施の形態（２）に係るＦＭ多重放送受信機におけるマイコンの行う処理動作を示したフロ−チャ−トである。
【図５】表示指示操作が検出されたときに表示部に表示される保存デ−タ表示画面の表示例を示した図である。
【図６】実施の形態（３）に係るＦＭ多重放送受信機におけるマイコンの行う処理動作を示したフロ−チャ−トである。
【符号の説明】
１０、１０Ａ、１０Ｂ  ＦＭ多重放送受信機
１２  ＦＭチュ−ナ部
１７  ＦＭ多重デコ−ド部
１８  音声デ−タ変換手段
１９  操作部
２０  表示部
２１  第１のメモリ
２２、２２Ａ  第２のメモリ
２３  通信手段
２４、２４Ａ、２４Ｂ  マイコン
【図１】
2004193726.tif 000003
【図２】
2004193726.tif 000004
【図３】
2004193726.tif 000005
【図４】
2004193726.tif 000006
【図５】
2004193726.tif 000007
【図６】
2004193726.tif 000008